(57)【特許請求の範囲】
【請求項１】
アイリス制御を行なうアイリス動作タイミングと階調補正制御を行なう階調補正動作タイミングを規定する撮像方法であって、
アイリス動作タイミングは被写体に変化が生じた時点からスタートし、スタートからのアイリス制御により輝度信号の平均値データと輝度信号の目標値とがある程度一致した時点で終了し、
階調補正動作タイミングは、前記アイリス動作タイミングの終了時点よりスタートさせることを特徴とする撮像方法。
【請求項２】
階調補正制御中に被写体に変化が生じた場合、前記階調補正制御を中断し、前記被写体に変化が生じた時点から新たにアイリス動作タイミングをスタートさせることを特徴とする請求項１記載の撮像方法。
【発明の詳細な説明】
【０００１】
【発明の属する技術分野】
本発明は、アイリス制御動作と階調補正制御動作とを互いに最適動作するようにして、映像レベルの振動等の不安定動作を抑制する撮像方法に関するものである。
【０００２】
【従来の技術】
図３は、従来の撮像装置におけるアイリス制御及び階調補正制御を行なうための機能ブロックを示すものである。図３において、従来の撮像装置におけるアイリス制御及び階調補正制御を行なうための機能ブロックは、アイリス開閉制御が行なわれるレンズ１と、撮像素子２と、ＣＤＳ、ＡＧＣ等の前処理部３と、Ａ／Ｄ変換器４と、階調特性を設定する手段５、輝度信号より平均値データを検出する手段６およびヒストグラムを検出する手段７を有するダイナミックレンジ拡大信号処理回路と、主要ビデオ信号処理回路８と、マイクロコンピュータ９と、Ｄ／Ａ変換器10と、アイリス制御用アンプ11とで構成されている。
【０００３】
アイリス開閉制御が行なわれるレンズ１により撮像された画像は、撮像素子２により映像信号に変換され、ＣＤＳ、ＡＧＣ等の前処理３を施した後、Ａ／Ｄ変換器４によりデジタル信号に変換される。次に輝度信号より平均値データを検出する手段６により得られた平均値データはマイクロコンピュータ９に入力される。
【０００４】
マイクロコンピュータ９では得られた各ブロックごとの平均値データを用いてアイリス制御のための信号処理を実施する。アイリス制御ための信号処理は、各ブロックごとの平均値データに重み付け処理を施した後、重み付けした平均値データを算出し、これと目標値との差分値よりレンズの開閉方向及び開閉量を決定する。
【０００５】
得られた開閉データは、Ｄ／Ａ変換器10によりアナログ信号に変換され、アイリス制御用アンプ11のゲインを制御し、前記のようにして算出する平均値データが目標値と一致するようにアイリスを開閉制御する。
【０００６】
一方、階調補正制御は、輝度信号より画面のヒストグラムデータを検出する手段７により得られたヒストグラムデータを、前記マイクロコンピュータ９に取り込み、階調補正制御のための信号処理により階調特性を算出することで実施される。前記マイクロコンピュータ９は、階調特性を算出するソフトウェアを備え、階調特性を設定する手段５に得られた階調特性を設定して階調補正を行なう。
【０００７】
【発明が解決しようとする課題】
しかしながら上記の従来の撮像装置におけるアイリス制御及び階調補正制御では、アイリス制御動作と階調補正制御動作が独立に動作することにより発生する映像レベルの振動等の不安定動作を抑制できないという問題を有していた。
【０００８】
本発明は上記従来の問題を解決するもので、アイリス制御動作と階調補正制御動作が互いに最適動作するようにした撮像方法を提供することを目的とする。
【０００９】
【課題を解決するための手段】
上記目的を達成するために本発明は、アイリス制御を行なうアイリス動作タイミングと階調補正制御を行なう階調補正動作タイミングを規定する撮像方法であって、アイリス動作タイミングは被写体に変化が生じた時点からスタートし、スタートからのアイリス制御により輝度信号の平均値データと輝度信号の目標値とがある程度一致した時点で終了し、階調補正動作タイミングは、前記アイリス動作タイミングの終了時点よりスタートさせるようにしたものである。
【００１０】
これにより、アイリス制御のための信号処理動作中は階調補正制御のための信号処理動作を停止し、アイリス制御のための信号処理動作完了情報により、新たな階調補正制御のための信号処理動作を開始する。さらに、階調補正制御のための信号処理動作中に被写体が変化した時は、アイリス制御のための信号処理を起動して最優先とし、階調補正制御のための信号処理動作を中断して、階調特性の更新動作を一時停止するようにして安定な映像レベル制御が得られるようにするものである。
【００１１】
【発明の実施の形態】
本発明の請求項１に記載の発明は、アイリス制御を行なうアイリス動作タイミングと階調補正制御を行なう階調補正動作タイミングを規定する撮像方法であって、アイリス動作タイミングは被写体に変化が生じた時点からスタートし、スタートからのアイリス制御により輝度信号の平均値データと輝度信号の目標値とがある程度一致した時点で終了し、階調補正動作タイミングは、前記アイリス動作タイミングの終了時点よりスタートさせることを特徴とする撮像方法としたものであり、アイリス制御のための信号処理が完了するまで、階調特性を現状維持させ、アイリス制御のための信号処理の完了情報により次の階調補正制御のための信号処理を開始することで最適な映像レベルが得られるという作用を有する。
【００１４】
また、請求項２に記載の発明は、階調補正制御中に被写体に変化が生じた場合、前記階調補正制御を中断し、前記被写体に変化が生じた時点から新たにアイリス動作タイミングをスタートさせることを特徴とする請求項１記載の撮像方法としたものであり、階調補正制御のための信号処理中に被写体に変化が生じた場合は、階調補正制御のための信号処理を中断し、被写体が変化した時点からアイリス制御のための信号処理を起動させることで、安定した映像レベルと応答特性が得られるという作用を有する。
【００１５】
以下、本発明の実施の形態について、図１及び図２を用いて説明する。
【００１６】
図１は、本実施の形態の撮像装置におけるアイリス制御及び階調補正制御を行なうための機能ブロックを示すものである。図１において、本実施の形態の撮像装置におけるアイリス制御及び階調補正制御を行なうための機能ブロックは、アイリス開閉制御が行なわれるレンズ101と、撮像素子102と、ＣＤＳ、ＡＧＣ等の前処理部103と、Ａ／Ｄ変換器104と、階調特性を設定する手段105、輝度信号より平均値データを検出する手段106およびヒストグラムを検出する手段107を有するダイナミックレンジ拡大信号処理回路と、主要ビデオ信号処理回路108と、マイクロコンピュータ109と、Ｄ／Ａ変換器110と、アイリス制御用アンプ111とで構成されている。
【００１７】
アイリス開閉制御が行なわれるレンズ101により撮像された画像は、撮像素子102により映像信号に変換され、ＣＤＳ、ＡＧＣ等の前処理103を施した後、Ａ／Ｄ変換器104によりデジタル信号に変換される。次に輝度信号より平均値データを検出する手段106より平均値データを得る。得られた平均値データはマイクロコンピュータ109に入力される。
【００１８】
前記平均値データを検出する手段106は、撮像画面を数ブロックに分割して、各ブロックごとに平均値データを検出する。本実施の形態において撮像画面は、水平８ブロック、垂直６ブロックの48ブロックに分割されて処理される。
【００１９】
マイクロコンピュータ109では得られた各ブロックごとの平均値データを用いてアイリス制御のための信号処理を実施する。すなわち、アイリス制御のための信号処理は、各ブロックごとの平均値データに重み付け処理を施した後、重み付けした平均値データを算出し、これと目標値との差分値よりレンズの開閉データを決定する。
【００２０】
得られた開閉データは、Ｄ／Ａ変換器110によりアナログ信号に変換され、アイリス制御用アンプ111のゲインを制御し、前記のようにして算出される平均値データが目標値と一致するようにアイリスを開閉制御する。
【００２１】
一方、階調補正制御は、輝度信号より撮像画面のヒストグラムデータを検出する手段107により得られたヒストグラムデータを、前記マイクロコンピュータ109に取り込み、階調補正制御のための信号処理により階調特性を算出することで実施される。すなわち、マイクロコンピュータ109は、階調特性を算出するソフトウェアを備え、階調特性を設定する手段105に得られた階調特性を設定して階調補正を行なう。
【００２２】
また、マイクロコンピュータ109は、アイリス制御の動作状態を監視判定する手段を備え、これによりアイリス制御のための信号処理が完了するまで、階調特性を設定する手段105には現状特性を維持させ、アイリス制御のための信号処理の完了情報により次の階調補正制御のための信号処理を開始するようにする。さらに、階調補正制御のための信号処理中の被写体の変化によりアイリス制御のための信号処理の再起動が必要になった場合は、アイリス制御のための信号処理の起動を最優先にして、階調補正制御のための信号処理を中断し、進行中の階調特性の更新作業を一時停止するようにする。
【００２３】
以上のような制御を説明するための動作タイミング図を図２に示す。図２は、本実施の形態の撮像装置におけるアイリス制御及び階調補正制御のための信号処理を、横軸に時間をとり、各制御動作タイミングを示したものである。
【００２４】
まず、被写体変化１が発生した時点で初めてアイリス制御のための信号処理動作を開始する。このとき階調補正制御のための信号処理は停止させておく。画像の平均値データと目標値がある程度一致した時点が、アイリス制御のための信号処理動作が完了したといえるので、これを常に監視しておき、アイリス制御動作のための信号処理が完了した時点より初めて階調補正制御のための信号処理動作を開始する。但し、階調補正制御のための信号処理動作中に被写体変化２が発生する場合もあるので、このときは現在進行中の階調補正制御のための信号処理動作を中断して、再びアイリス制御のための信号処理動作を起動してこれを最優先としてアイリス制御のための信号処理動作を実施するようにする。
【００２５】
以上のように本実施の形態の撮像方法によれば、アイリス制御と階調補正制御の各動作に関連性を持たせることで、最適なアイリスレベルと階調特性を得るとともに安定した応答特性を得ることができる。
【００２６】
【発明の効果】
以上のように本発明は、アイリス制御動作と階調補正制御動作とに関連性を持たせて動作させることにより、最適な映像レベルが得られ、且つ被写体変化に対して常にアイリス制御動作と階調補正制御が実施され、安定した映像レベルと応答特性が得られるという有利な効果が実現される。
【図面の簡単な説明】
【図１】本発明の実施の形態の撮像装置におけるアイリス制御及び階調補正制御の機能ブロックを示す図、
【図２】本発明の実施の形態の撮像装置におけるアイリス制御及び階調補正制御のための信号処理動作を説明するための動作タイミング図、
【図３】従来の撮像装置におけるアイリス制御及び階調補正制御の機能ブロックを示す図である。
【符号の説明】
１、101  アイリス開閉制御が行なわれるレンズ
２、102  撮像素子
３、103  ＣＤＳ、ＡＧＣ等の前処理部
４、104  Ａ／Ｄ変換器
５、105  階調特性を設定する手段
６、106  輝度信号より平均値データを検出する手段
７、107  ヒストグラムを検出する手段
８、108  主要ビデオ信号処理回路
９、109  マイクロコンピュータ
10、110  Ｄ／Ａ変換器
11、111  アイリス制御用アンプ
【図１】
0003850581.tif 000002
【図２】
0003850581.tif 000003
【図３】
0003850581.tif 000004